(57)【要約】【課題】  本発明は、胴回りの締め付けによる窮屈感を軽減すると同時に運動追随性の向上を図り臀部を左右個別に保持することで美しいヒップラインを造ることができるショート・ボトムを提供する。【解決手段】  左右独立して臀部を覆う一対の後身頃が下腹を覆う前身頃にそれぞれ股底及び脇部において接合され、該後身頃を上方に釣支する左右一対の帯部が無縫合で交差し、体側に分かれてウェスト近傍を経由したのち該前身頃に接合することを特徴とするショート・ボトム【選択図】図１
2010037680.tif 000002
【特許請求の範囲】
【請求項１】
左右独立して臀部を覆う一対の後身頃が下腹を覆う前身頃にそれぞれ股底及び脇部において接合され、該後身頃を上方に釣支する左右一対の帯部が無縫合で交差し、体側に分かれてウェスト近傍を経由したのち該前身頃に接合することを特徴とするショート・ボトム。
【請求項２】
前記左右の後身頃が中央に寄り合わないよう、両端において左右の後身頃に接合するスペーサーを設けたことを特徴とする請求項１に記載のショート・ボトム。
【発明の詳細な説明】
【技術分野】
【０００１】
本発明は、ショーツ、水着、ショートガードル、ホットパンツ等の所謂ショート・ボトムに関し、詳しくは、胴回りの締付けによる窮屈感を軽減すると同時に臀部を左右個別に保持して美しいヒップラインを造る構成に関する。          
【背景技術】
【０００２】
従来のショート・ボトムは、図５に示すように、下腹を覆う前身頃と臀部を覆う後身頃とを縫合したものを胴回りの締付け力によって釣上げ保持している。またヒップの形を整える目的の発明がある（例えば、特許文献１参照。）。
【０００３】
【特許文献１】特許第３９８６４２５号公報
【発明の開示】
【発明が解決しようとする課題】
【０００４】
前記従来のショート・ボトムでは、横方向である胴回りの締付け力に頼って後身頃が下がろうとする縦の力を支えているため、後身頃の重さ以上の強い締付け力が必要であり窮屈感がある。また、１枚の筒状の布地で左右の臀部を締め付けるため臀部の自然な膨らみが潰れて拡がることで立体感を無くした幅広のシルエットとなり、美しいヒップラインを表現できない。更に、図６に示すように、脚上げ等の運動に際して後身頃の裾が胴回りに引きずられてずり上がり、該裾から尻肉がはみ出して不快であるばかりでなく美しいヒップラインを崩すという問題があり、これまでこれらの問題を同時に解決する手段は発明されなかった。
【０００５】
本発明はこのような従来の構成が有していた問題を同時に解決しようとするものであり、すなわち、胴回りの窮屈感を軽減すると同時に運動追随性の向上と臀部を左右個別に保持することによって美しいヒップラインを造ることができるショート・ボトムを実現することを目的とするものである。
【課題を解決するための手段】
【０００６】
前記課題を解決するための第１の課題解決手段は、左右独立して臀部を覆う一対の後身頃が下腹を覆う前身頃にそれぞれ股底及び脇部において接合され、該後身頃を上方に釣支する左右一対の帯部が無縫合で交差し、体側に分かれてウェスト近傍を経由したのち該前身頃に接合する構成としたものである。
【０００７】
また、第２の課題解決手段は、前記一対の後身頃が中央に寄り合わないよう、両端において左右の後身頃に接合する支持具（本発明において、スペーサーと称する。）を設ける構成としたものである。
【発明の効果】
【０００８】
前記第１の課題解決手段の構成によれば、片側の後身頃に繋がる帯部は、人体の逆側のウェストに引っかけて該後身頃を釣支するため人体の胴回りを締付ける必要がなく窮屈感を軽減する効果を発揮する。
【０００９】
また、第１の課題解決手段の構成によると、脚上げ等の運動に際して後身頃の裾がずり上がろうとする際には、脚を上げたことにより腹部との間で余剰となる前身頃が帯部を後方に送り出す方向に作用する。つまり連続した前身頃、帯部、後身頃は長さがほぼ一定のまま位置を移動することになり、後身頃の裾は尻肉に追随して移動し、尻肉が裾からはみ出すことはない。また、後身頃と帯部は左右が独立した構成であり、歩行などの左右の脚の違う動きに対しても左右個別に尻肉に追随して運動追随性が高く、左右の臀部を個別に保持できることから１つ１つの自然な膨らみを表現して、一層美しいヒップラインを造る効果を発揮する。
【００１０】
更に、本発明の構成によれば、使用する布地が比較的少なくて済むとともに肌の露出が多く魅力的な外観を形成でき、また、股浅のアウターウェアーから故意に帯部を覗かせるといった新たなファッション性を形成できる。
【００１１】
次に、第２の課題解決手段による構成では、交差した帯部が後身頃を内側に寄せる力をスペーサーによって支えることで力の方向を変化させることが可能となる。スペーサーの無い場合、帯部にかかる長手方向の力は内側に内向する力と垂直上方の力とに分解される。スペーサーを設けることによって内向する力が垂直上方に変化し、帯部にかかる長手方向の力は全て後身頃を上方に引き上げる垂直成分の力となり、ヒップアップ効果を向上して足長の美しいヒップラインを造る効果を発揮する。
【発明を実施するための最良の形態】
【００１２】
以下、図面を参照しながら、本発明に係るショート・ボトムの好適な実施形態について詳細に説明する。
【実施例１】
【００１３】
図１は本発明に従って構成されたショート・ボトムの一実施形態であるショーツを示す背面図であり、図２および図３はその正面図および側面図である。図１〜図３においては、着用者が当該ショーツを着用した状態を図示している。図１〜図３に示すように、このショーツは左右独立した一対の後身頃１，１と、左右一対の帯部２Ａ，２Ｂと、前身頃３とを備えている。
【００１４】
上記ショーツの構成と機能を片側の臀部に着目して説明すると、後身頃１は脇部の縫合線３ｂおよび股底の縫合線３ｃとで前身頃３と接合されて脚口を形成するとともに上方の縫合線１ａで帯部２によって釣り上げ保持されることで、片側の臀部をカップ状に包み込んで自然な膨らみを表現した美しいヒップラインを造ることができる。この効果は図７と図８を比較することで明確である。図８に示す従来のショーツでは、１枚の筒状の布地によって左右の臀部が締め付けられているため、臀部の膨らみは押しつぶされるとともに左右に拡がって幅広となっている。これに対し図７に示す本発明のショーツでは、臀部は左右個別に保持され１つ１つの自然な膨らみと谷間を立体的に表現して美しいヒップラインを造る効果を発揮する。
【００１５】
また、一対の帯部２Ａ，２Ｂは無縫合で交差し、体側に分かれてウェスト近傍を経由したのち前身頃３に縫合線３ａで接合される。後身頃１と前身頃３の下裾はそれぞれの脚口を形成しており、脚の動きにともなって脚の前面と後面で同期して動く。すなわち、図４において矢印が示すイメージのように、連続した前身頃３、帯部２、後身頃１は長さがほぼ一定のまま着用位置を移動することになり、後身頃１の裾は臀部に追随して移動し尻肉が裾からはみ出すことはない。更に、後身頃１と帯部２は左右が独立した構成であり、歩行などの左右の脚の違う動きに対しても左右個別に臀部に追随することが可能であり運動追随性が高く常に美しいヒップラインを造る効果を発揮する。
【実施例２】
【００１６】
実施例１において、後身頃１の左右が違う動きをすると敏感な部分である肛門が擦れて刺激され不快となることがある。このため前身頃３の股底部分を後方に延長し、または左右の後身頃１の下方を縫合し、または左右の後身頃１の下方を連続した布地で構成することで前記の不快感を防止することが可能である。この際、前身頃３の延長部分、または左右の後身頃１の縫合部分や連続した部分の長さは短いほど本発明の効果は高く、少なくとも臀部の膨らみの頂点を繋いだ位置の高さよりも低い方が好ましい。図９に左右の後身頃１の下方を連続した布地で構成した実施例を示す。
【実施例３】
【００１７】
次に、第２の課題解決手段による構成を図１０に示す。５は略楕円形の環状のスペーサーであり、交差した帯部２が後身頃１を内側に寄せる力を支えて力の方向を変化させる。図１０中の矢印が、力の方向が変化するイメージを示し、スペーサー５の有無による力を比較した略図が図１１である。スペーサー５の無い場合、帯部２にかかる長手方向の力Ｍは内側に内向する分力（図示しない）と垂直上方の分力ｍとに分解される。スペーサー５を設けることによって長手方向の力Ｍの方向を上方に変化させ、後身頃１を釣支する垂直上方成分の力Ｌとなる。Ｍにほぼ等しいＬは必ずｍよりも大であり、したがってスペーサー５を設けることでヒップアップ効果を向上して足長の美しいヒップラインを造る効果を発揮する。
【００１８】
スペーサーは左右の後身頃１を内側に寄せる力に対抗して支えることができれば、形状および材質に限定されない。例えば、略Ｖ字や略Ｕ字の形状でもよく、材質はプラスティックやシリコン等が望ましいが金属や木等を使用しても装飾性が高まり好ましい。接合は縫い付けが望ましいが接着でもよく限定されない。図１２に略Ｖ字状のスペーサーを後身頃に縫い込んだ実施例を示す。
【実施例４】
【００１９】
本発明の構成によると帯部２は比較的長さがあり交差部分もあることから、着用に際して捻れを戻し交差部分を確認する等の手間がかかる。図１４はこの手間を防止するため、帯部２Ａの一部にループ部分９を設けその環状となる部分に帯部２Ｂを通した実施例を示す。本発明の左右の機能に違いはなく、帯部２Ｂにループ部分を設け帯部２Ａを通してもよい。
【実施例５】
【００２０】
また、本発明の帯部２は伸縮性があることが望ましいが、人体自体に弾力性があることから伸縮性の無い紐状のストラップでも良い。また、ミニバックルなどの調整機能付き接続具を設けたり、紐状の端末を途中に設けて結束することで人体のサイズに柔軟に対応することが可能となる。帯部２Ａまたは２Ｂのそれぞれは、１本または複数本で構成しても良いが、交差部分の幅は狭いほど摩擦が少なく独立した動きを阻害しない。
【００２１】
上記した本発明の構成において、帯部２と前身頃３は連続した１枚の布地から製作することが可能である。また、後身頃１と前身頃３についても縫合線３ｂにおいて連続した１枚の布地から製作することが可能である。したがって、帯部２、前身頃３および後身頃１を連続した１枚の布地から製作することが可能であり、この場合の製作時の展開図例を図１５に示す。なお、図１５において鎖線は縫合線であり、２点鎖線および符号Ｘ，Ｙは縫合先を示す。
【００２２】
本発明は主として裁断形状と縫合の組み合わせによるものであり、特に前身頃および後身頃においては特殊な素材や特別の伸縮性を必要とせず、一般的なショート・ボトムに使用されるもので構成することが可能であり、従来の製造技術を活用できる。
【図面の簡単な説明】
【００２３】
【図１】本発明の実施の形態１に係るショート・ボトムの背面図
【図２】本発明の実施の形態１に係るショート・ボトムの正面図
【図３】本発明の実施の形態１に係るショート・ボトムの側面図
【図４】図３に示すショート・ボトムの脚上げ状態を説明する側面図
【図５】従来のショート・ボトム例の側面図
【図６】図５に示すショート・ボトムの脚上げ状態を説明する側面図
【図７】図３におけるＡ−Ａ線断面図
【図８】図５におけるＢ−Ｂ線断面図
【図９】左右の後身頃の下方を連続した布地で構成した本発明の実施の形態２に係るショート・ボトムの背面図
【図１０】本発明の実施の形態３に係るショート・ボトムの背面図
【図１１】図１０に示すショート・ボトムのスペーサーの有無による力を比較した略図
【図１２】略Ｖ字状のスペーサーを図９に示す後身頃に縫い込んだ本発明の実施の形態３に係るショート・ボトムの背面図
【図１３】図１２におけるＣ−Ｃ線断面図
【図１４】帯部２Ａにループ部分９を設けて帯部２Ｂを通した実施例の部分拡大図
【図１５】本発明を１枚の連続した布地で形成する実施例の展開図
【符号の説明】
【００２４】
１      後身頃
１ａ    後身頃１と帯部２との縫合線
２      帯部
３      前身頃
３ａ    前身頃３と帯部２との縫合線
３ｂ    股底における前身頃３と後身頃１との縫合線
３ｃ    脇部における前身頃３と後身頃１との縫合線
４      後身頃１の裾からはみ出した尻肉の領域
５      スペーサー（環状）
６      左右の後身頃１の下方を連続した部分
７      スペーサー（略Ｖ字状）
８      スペーサー７を包み込むための縫合線
９      ループ部分
１００    股底
２００    脇部
３００    ウェスト
Ｌ      第２の課題解決手段により後身頃１を釣支する垂直上方成分の力
Ｍ      帯部２の長手方向の力
ｍ      Ｍの垂直上方の分力
Ｘ      同じ縫合先を示す符号
Ｙ      同じ縫合先を示す符号
【図１】
2010037680.tif 000003
【図２】
2010037680.tif 000004
【図３】
2010037680.tif 000005
【図４】
2010037680.tif 000006
【図５】
2010037680.tif 000007
【図６】
2010037680.tif 000008
【図７】
2010037680.tif 000009
【図８】
2010037680.tif 000010
【図９】
2010037680.tif 000011
【図１０】
2010037680.tif 000012
【図１１】
2010037680.tif 000013
【図１２】
2010037680.tif 000014
【図１３】
2010037680.tif 000015
【図１４】
2010037680.tif 000016
【図１５】
2010037680.tif 000017